(57)【要約】【課題】野生動物を効率よく内部に侵入させることが可能となる野生動物捕獲装置を提供する。【解決手段】本発明を適用した野生動物捕獲装置１は、透過性を有しない不透過性面材３と、透過性を有する透過性面材４とにより内部空間Ｐを囲う囲い部２を備え、囲い部２は、野生動物８が内部空間Ｐに侵入するための入口部２１を有し、入口部２１に内部空間Ｐの外側に向けて突出される不透過性面材３が衝立面材３０として設けられるとともに、入口部２１から視認される位置に透過性面材４が設けられることを特徴とする。【選択図】図１２
2018166483.tif 000002
【特許請求の範囲】
【請求項１】
屋外の地面に設けられる野生動物捕獲装置であって、
透過性を有しない不透過性面材と、透過性を有する透過性面材とにより内部空間を囲う囲い部を備え、
前記囲い部は、野生動物が前記内部空間に侵入するための入口部を有し、前記入口部に前記内部空間の外側に向けて突出される前記不透過性面材が衝立面材として設けられるとともに、前記入口部から内部空間方向に視認される位置に前記透過性面材が設けられること
を特徴とする野生動物捕獲装置。
【請求項２】
前記衝立面材は、前記入口部に対して平面視で略直交に設けられること
を特徴とする請求項１記載の野生動物捕獲装置。
【請求項３】
前記衝立面材は、前記入口部の側端から離間されて設けられること
を特徴とする請求項１又は２記載の野生動物捕獲装置。
【発明の詳細な説明】
【技術分野】
【０００１】
本発明は、屋外の地面に設けられる野生動物捕獲装置に関する。
【背景技術】
【０００２】
近年、狩猟人口の減少や狩猟者の高齢化に起因して、野生動物の個体数が急激に増加している。特に、シカ科、ウシ科、イノシシ科に属する野生動物の個体数増加は顕著であり、農業における農作物被害、林業における植林被害や樹皮剥ぎ被害、交通業における車両衝撃被害等、広範囲で人的被害が後を絶たない状況にある。
【０００３】
こうした被害を防ぐことを目的に、従来、野生動物を捕獲するものとして、特許文献１の開示技術が提案されている。
【０００４】
特許文献１に開示された囲い罠は、周壁部により平面視多角形状に外周を囲んで獣類を捕獲する捕獲空間を形成する柵状の囲い罠であって、捕獲空間に獣類が侵入可能な入口と、入口を開閉する扉と、扉の開閉動作を制御する扉開閉装置とを備え、入口は、全方位にそれぞれ個別に設けられ、扉は入口それぞれに対応して設けられ、扉開閉装置は、捕獲空間に獣類が侵入前は扉を開状態に保持し、捕獲空間に獣類が侵入すると即座に扉を作動させて扉に対応する入口を閉塞する制御を扉それぞれに対して個別に実行し得ることを特徴とする。
【０００５】
しかしながら、特許文献１に開示された囲い罠は、入口を全て開口したときは、全方位が開口され、対象獣を全方位から侵入させることができるものの、対象獣の習性に基づくものではないため、効率よく対象獣を入口から侵入させることができないという問題点があった。
【先行技術文献】
【特許文献】
【０００６】
【特許文献１】特開２０１４−１２８２２３号公報
【発明の概要】
【発明が解決しようとする課題】
【０００７】
そこで、本発明は、上述した問題点に鑑みて案出されたものであり、その目的とするところは、野生動物を効率よく内部に侵入させることが可能となる野生動物捕獲装置を提供することにある。
【課題を解決するための手段】
【０００８】
第１発明に係る野生動物捕獲装置は、屋外の地面に設けられる野生動物捕獲装置であって、透過性を有しない不透過性面材と、透過性を有する透過性面材とにより内部空間を囲う囲い部を備え、前記囲い部は、野生動物が前記内部空間に侵入するための入口部を有し、前記入口部に前記内部空間の外側に向けて突出される前記不透過性面材が衝立面材として設けられるとともに、前記入口部から内部空間方向に視認される位置に前記透過性面材が設けられることを特徴とする。
【０００９】
第２発明に係る野生動物捕獲装置は、第１発明において、前記衝立面材は、前記入口部に対して平面視で略直交に設けられることを特徴とする。
【００１０】
第３発明に係る野生動物捕獲装置は、第１発明又は第２発明において、前記衝立面材は、前記入口部の側端から離間されて設けられることを特徴とする。
【発明の効果】
【００１１】
第１発明〜第３発明によれば、囲い部の入口部に、内部空間の外側に向けて突出された不透過性面材が衝立面材として設けられる。このため、第１発明〜第３発明によれば、外部空間にいる野生動物の移動方向を衝立面材が遮るものとなる。
【００１２】
第１発明〜第３発明によれば、入口部から内部空間方向に視認される位置に透過性面材が設けられる。このため、第１発明〜第３発明によれば、衝立面材により移動方向を遮られて入口部の近傍に到達した野生動物が餌を探索するために周囲を見渡したとき、入口部から内部空間方向に視認される位置に透過性面材が設けられているにもかかわらず、物体把握能力の低い野生動物に透過性面材の背面側に外部空間が広がっていると錯覚させるものとなる。このとき、第１発明〜第３発明によれば、野生動物が衝立面材の背面側を視認できないため、障害物に沿って移動する習性から衝立面材に沿って移動し、衝立面材の背面側を探索しようとするので、見通しの良い開放された外部空間に向けて移動する習性を働かせるものとなり、野生動物が衝立面材に沿って移動し、入口部から内部空間へと侵入させることが可能となる。
【００１３】
第２発明〜第３発明によれば、入口部に対して平面視で略直交に衝立面材が設けられることで、外部空間にいる野生動物の移動方向を衝立面材により遮る効果を高めることが可能となる。移動方向を遮られた野生動物は、障害物に沿って移動する習性から、衝立面材に沿って移動し、衝立面材の背面側を探索しようとする。このため、第２発明〜第３発明によれば、野生動物を入口部から内部空間へと侵入させる効果を高めることが可能となる。
【００１４】
第３発明によれば、入口部の側端から離間されて衝立面材が設けられることで、衝立面材の前面側に向けて移動してくる野生動物と、衝立面材の背面側に向けて移動してくる野生動物とを衝立面材が遮るものとなる。このため、第３発明によれば、衝立面材が入口部の側端に設けられるよりも、野生動物を入口部から内部空間に侵入させる機会を増やすことが可能となる。
【図面の簡単な説明】
【００１５】
【図１】本発明を適用した野生動物捕獲装置の第１実施形態を示す斜視図である。
【図２】本発明を適用した野生動物捕獲装置の第１実施形態を示す平面図である。
【図３】（ａ）は、本発明を適用した野生動物捕獲装置の不透過性面材を示す正面図であり、（ｂ）はその側面図である。
【図４】（ａ）は、本発明を適用した野生動物捕獲装置の透過性面材を示す正面図であり、（ｂ）はその側面図である。
【図５】図２のＭ部における入口部を拡大して示す図である。
【図６】図２のＭ部における入口部の変形例を拡大して示す図である。
【図７】図２のＮ部における入口部を拡大して示す図である。
【図８】図２のＮ部における入口部の第１変形例を拡大して示す図である。
【図９】図２のＮ部における入口部の第２変形例を拡大して示す図である。
【図１０】本発明を適用した野生動物捕獲装置の捕獲空間の第１変形例を示す平面図である。
【図１１】本発明を適用した野生動物捕獲装置の捕獲空間の第２変形例を示す平面図である。
【図１２】本発明を適用した野生動物捕獲装置の第１実施形態を示す平面図であり、野生動物の捕獲方法を説明するための図である。
【図１３】本発明を適用した野生動物捕獲装置の第２実施形態を示す平面図である。
【図１４】本発明を適用した野生動物捕獲装置の第２実施形態を示す平面図であり、野生動物の捕獲方法を説明するための図である。
【発明を実施するための形態】
【００１６】
以下、本発明を適用した野生動物捕獲装置を実施するための形態について、図面を参照しながら詳細に説明する。
【００１７】
図１は、本発明を適用した野生動物捕獲装置１の第１実施形態を示す斜視図である。図２は、その平面図である。
【００１８】
野生動物捕獲装置１は、野生動物８を捕獲するためのものであって、例えば、野生動物８の生息地等の屋外の地面に設けられる。
【００１９】
野生動物８は、例えば、中型、大型の野生動物が想定されていて、例えば、シカ科では、特にシカ属のニホンジカに分類される、エゾシカ、ホンシュウジカ、キュウシュウジカ、マゲシカ、ヤクシカ、ケラマジカ、ツシマジカ等が該当し、ホエジカ属に分類される、キョンも該当する。また、この野生動物８は、ウシ科では、特にカモシカ属に分類されるニホンカモシカ等やウシ属に分類される各種ウシ等が該当する。
【００２０】
野生動物８は、頭部の両側に眼が配置されているため、周囲を広い範囲で見渡す能力に長けているものの、物体との距離や物体を立体的に把握する能力（以下、物体把握能力という。）が低い。また、野生動物８は、警戒心が強く、見通しの悪い開放されていない空間を避けて、見通しの良い開放された空間に向けて移動する習性がある。さらに、野生動物８は、障害物の背面側を視認できないとき、餌等の生命の維持に必要なものがあるかを積極的に探索して障害物に沿って移動する習性があり、障害物の背面側に回り込もうとする。本発明者らは、これらの野生動物８の習性に着目して、野生動物捕獲装置１を完成させた。
【００２１】
野生動物捕獲装置１は、第１実施形態において、透過性を有しない不透過性面材３と、透過性を有する透過性面材４とにより内部空間Ｐを囲う囲い部２を備える。
【００２２】
不透過性面材３は、透過性を有しないものとして、例えば、帆布が用いられるほか、樹脂板、鉄板等が用いられてもよい。ここでいう透過性を有しないとは、不透過性面材３を前面側から見たとき、背面側にあるものが視認できないことをいう。不透過性面材３は、野生動物８に前面側から背面側にあるものを視認させないように用いられ、いわば野生動物８の視界を遮る障害物として機能するものである。
【００２３】
不透過性面材３は、図３（ａ）に示すように、地面Ｇに互いに離間して設けられた高さ方向に延びる鉄パイプ等の複数の支柱２７と、支柱２７の上端と下端とに設けられて複数の支柱２７を互いに連結するアングル鋼等の連結材２８とにより形成される矩形状の枠体２９に、紐等で取り付けられる。
【００２４】
不透過性面材３は、図３（ｂ）に示すように、地面Ｇから高さｈ１で設けられる。不透過性面材３の高さｈ１は、少なくとも野生動物８の体高ｈｔ以上となる。ここで、野生動物８の体高ｈｔは、野生動物８の肩高ｈｓと、野生動物８の首長ｈｎの和として表されるものとする。即ち、野生動物８の体高ｈｔと、肩高ｈｓと、首長ｈｎとの関係が、ｈｔ＝ｈｓ＋ｈｎとして表されるものとする。
【００２５】
日本国内に生息するシカの中で、比較的体高が大きいとされるエゾシカのオスの成獣の場合、例えば、肩高ｈｓが１３００ｍｍ程度、首長ｈｎが４００ｍｍ程度である。このとき、エゾシカの体高ｈｔ＝ｈｓ＋ｈｎとして表されることから、野生動物８の体高ｈｔは、最大でも１７００ｍｍ程度である。不透過性面材３の高さｈ１は、１７００ｍｍ未満の場合、不透過性面材３の背面側を野生動物８が視認できるものとなる。このため、不透過性面材３は、高さｈ１が１７００ｍｍ以上とされることが好ましい。
【００２６】
また、エゾシカのオスの成獣の跳躍力は、地面Ｇから最大でも２５００ｍｍ程度である。このため、不透過性面材３の高さｈ１は、エゾシカの跳躍力に安全率１０％を考慮した２７５０ｍｍ程度であれば、野生動物８が不透過性面材３を跳び超えることができない。逆に、不透過性面材３の高さｈ１は、２７５０ｍｍを超える場合、エゾシカのオスの成獣の跳躍力を大きく上回ることとなり、不透過性面材３の費用が高額となる。このため、不透過性面材３の高さｈ１は、２７５０ｍｍ程度以下とされることが好ましい。
【００２７】
透過性面材４は、図４（ａ）に示すように、透過性を有するものとして、例えば、亀甲金網が用いられるほか、漁網、アクリル板等が用いられてもよい。ここでいう透過性を有するとは、透過性面材４を前面側から見たとき、背面側にあるものが視認できるこという。透過性面材４は、野生動物８に前面側から背面側にあるものを視認させるように用いられるものである。
【００２８】
透過性面材４は、地面Ｇに互いに離間させて設けられた高さ方向に延びる鉄パイプ等の複数の支柱２７と、支柱２７の上端と下端とに設けられて複数の支柱２７を互いに連結するアングル鋼等の連結材２８とにより形成される矩形状の枠体２９に、紐等で取り付けられる。なお、上述した図３及び図４において、不透過性面材３と透過性面材４とが枠体２９に取り付けられる形態を説明したが、不透過性面材３と透過性面材４とが地面Ｇに立設できるものであれば、如何なるものが用いられてもよく、図３及び図４以外では枠体２９の記載を省略するものとする。
【００２９】
透過性面材４は、図４（ｂ）に示すように、地面Ｇから高さｈ２で設けられる。透過性面材４の高さｈ２は、少なくとも野生動物８の体高ｈｔ以上となる。透過性面材４の高さｈ２は、不透過性面材３の高さｈ１と等しくてもよいし、不透過性面材３の高さｈ１と異ならせてもよい。透過性面材４の高さｈ２は、上述した跳躍力の関係から、２７５０ｍｍ程度以下とされることが好ましい。
【００３０】
囲い部２は、図１に示すように、上方側に不透過性面材３及び透過性面材４が覆われて設けられることなく、上方側が開放され、上方側の視界が遮られないものとなる。なお、囲い部２は、上方側に不透過性面材３が覆われていなければ、上方側に透過性面材４が覆われて設けられてもよい。このとき、囲い部２は、上方側に覆われて設けられる透過性面材４の背面側が視認されるものとなるため、上方側の視界が遮られない。このため、囲い部２の上方側に透過性面材４が設けられる場合も、上方側が開放されているものとする。
【００３１】
囲い部２は、図２に示すように、不透過性面材３と、透過性面材４とに囲われる内部空間Ｐと、内部空間Ｐの外側に形成されて見通しの良い開放された外部空間Ａとを隔てるものとなる。
【００３２】
囲い部２は、不透過性面材３と、透過性面材４とにより平面視略矩形状に形成され、野生動物８が内部空間Ｐに侵入するための入口部２１と、内部空間Ｐに設けられる開閉扉２２とを有する。なお、囲い部２は、不透過性面材３と、透過性面材４とにより平面視略矩形状に形成されるものに限られず、平面視多角形状、平面視円形状等いかなる形状で形成されるものであってもよい。
【００３３】
囲い部２は、入口部２１を２箇所有し、互いの入口部２１が内部空間Ｐを挟んで対向されて設けられる。入口部２１は、不透過性面材３の面内方向を揃えて互いに離間された複数の不透過性面材３の間に形成される。入口部２１は、不透過性面材３の面内方向で離間して設けられた２つの不透過性面材３の側端が入口部２１の側端２１ａとなる。なお、囲い部２は、入口部２１を２箇所有するものに限らず、１箇所又は３箇所以上の入口部２１を有するものであってもよい。
【００３４】
囲い部２は、入口部２１から内部空間方向に視認される位置に透過性面材４が設けられる。囲い部２は、対向して設けられる２つの入口部２１の間で、内部空間Ｐに透過性面材４が誘導面材４０として設けられる。囲い部２は、２つの入口部２１が対向して配置されるため、一方の入口部２１から内部空間方向に透過性面材４（誘導面材４０）を見たとき、透過性面材４（誘導面材４０）の背面側に外部空間Ａが視認されるものとなる。また、囲い部２は、他方の入口部２１から内部空間方向に透過性面材４（誘導面材４０）を見たとき、透過性面材４（誘導面材４０）の背面側に外部空間Ａが視認されるものとなる。ここでいう内部空間方向とは、入口部２１から内部空間Ｐに向かう方向のことをいう。
【００３５】
平面視における誘導面材４０の面内方向の長さは、入口部２１の一方の側端２１ａから他方の側端２１ａまでの長さ未満であってもよいが、入口部２１の一方の側端２１ａから他方の側端２１ａまでの長さ以上であることが好ましい。
【００３６】
囲い部２は、入口部２１に内部空間Ｐの外側に向けて突出される不透過性面材３が衝立面材３０として設けられる。
【００３７】
入口部２１は、図５に示すように、両方の側端２１ａから離間させて、両方の側端２１ａを結ぶ面Ｋ上に、衝立面材３０が設けられる。なお、入口部２１は、両方の側端２１ａを結ぶ面Ｋ上に、衝立面材３０が設けられる形態を例に取り説明しているが、図６に示すように、面Ｋから１メートル程度外部空間Ａ側に離間していても、入口部２１は、衝立面材３０が設けられているものとする。
【００３８】
入口部２１は、図５及び図６に示すように、両方の側端２１ａを結ぶ面Ｋに対して衝立面材３０がなす角を配置角度θ１としたとき、配置角度θ１は、０度を超えて１８０度未満とされるが、８５度以上９５度以下程度の略直交とされることが好ましい。
【００３９】
入口部２１は、図７に示すように、両方の側端２１ａから離間させずに、何れか一方の側端２１ａに衝立面材３０が設けられてもよい。このとき、配置角度θ１は、０度を超えて１８０度未満とされ、４５度以上１３５度以下とされることが好ましく、８５度以上９５度以下程度の略直交とされることがより好ましい。なお、配置角度θ１は、図８に示すように、例えば、４５度程度とされていてもよい。
【００４０】
入口部２１は、図９に示すように、何れか一方の側端２１ａに設けられた衝立面材３０に、さらに衝立面材３０が設けられてもよい。このとき、２つの衝立面材３０がなす角を配置角度θ２としたとき、配置角度θ２は、０度を超えて２７０度未満とされるが、９０以上１８０度以下とされることが好ましく、１３０度以上１４０度以下程度とされることがより好ましい。
【００４１】
囲い部２は、図２に示すように、不透過性面材３と、透過性面材４と、開閉扉２２とに囲われる捕獲空間Ｑが内部空間Ｐに形成される。捕獲空間Ｑは、入口部２１から内部空間Ｐに侵入した野生動物を捕獲するための空間であり、内部空間Ｐを開閉扉２２で仕切られるようにして内部空間Ｐに形成される。
【００４２】
囲い部２は、開閉扉２２が入口部２１に対して略直交するように２箇所に内部空間Ｐに設けられる。囲い部２は、各々の開閉扉２２が互いに向かい合って配置され、捕獲空間Ｑが２箇所に内部空間Ｐに形成される。なお、囲い部２は、開閉扉２２を２箇所有するものに限らず、１箇所又は３箇所以上の開閉扉２２を有し、１箇所又は３箇所以上の捕獲空間Ｑが形成されるものであってもよい。
【００４３】
囲い部２は、開閉扉２２に捕獲空間Ｑを挟んで対向して透過性面材４が配置され、透過性面材４の両側端に不透過性面材３がそれぞれ配置されることで、平面視矩形状の捕獲空間Ｑが内部空間Ｐに形成される。囲い部２は、捕獲空間Ｑを囲って互いに向かい合って配置される不透過性面材３同士の間に開閉扉２２が設けられる。
【００４４】
囲い部２は、図１０に示すように、開閉扉２２に捕獲空間Ｑを挟んで対向して複数の透過性面材４が設けられてもよい。このとき、囲い部２は、例えば、２つの透過性面材４が一方の側端同士で連結されて他方の側端で互いに拡がるようにして配置され、互いに拡がるように配置された２つの透過性面材４の他方の側端に不透過性面材３がそれぞれ設けられることで、平面視略五角形状の捕獲空間Ｑが内部空間Ｐに形成されてもよい。
【００４５】
また、囲い部２は、図１１に示すように、３つの透過性面材４が平面視コの字状に配置され、向かい合って配置される各々の透過性面材４の側端に不透過性面材３がそれぞれ設けられることで、平面視矩形状の捕獲空間Ｑが内部空間Ｐに形成されてもよい。なお、囲い部２は、平面視矩形状や平面視五角形状の捕獲空間Ｑが内部空間Ｐに形成される場合に限らず、平面視多角形状、平面視円形状等いかなる形状の捕獲空間Ｑが内部空間Ｐに形成されてもよい。
【００４６】
開閉扉２２は、図２に示すように、野生動物８が捕獲空間Ｑの外側から捕獲空間Ｑに侵入できるものであり、捕獲空間Ｑからその外側には出られないものとなる。なお、開閉扉２２は、開かれた状態の扉から捕獲空間Ｑに野生動物８が侵入したことを感知して、自動的に扉を閉じるように制御されるものが用いられてもよい。このほか、開閉扉２２は、野生動物８が捕獲空間Ｑに侵入できるものであり、捕獲空間Ｑから外側には出られないものであれば、如何なるものが用いられてもよい。
【００４７】
囲い部２は、野生動物８が侵入しやすいように開閉扉２２が開放されて配置されるため、捕獲空間Ｑの外側から開閉扉２２を視認したとき、捕獲空間Ｑを挟んで対向して配置される透過性面材４が視認されるものとなる。
【００４８】
囲い部２は、内部空間Ｐに野生動物８が摂取するための図示しない餌が設置されてもよい。このとき、囲い部２は、内部空間Ｐで入口部２１の近傍に餌が設置されていてもよいし、捕獲空間Ｑに餌が設置されてもよい。また、囲い部２は、内部空間Ｐの外側の外部空間Ａで入口部２１の近傍に餌が配置されてもよい。
【００４９】
次に、本発明を適用した野生動物捕獲装置１の第１実施形態における作用効果について説明する。
【００５０】
本発明を適用した野生動物捕獲装置１は、第１実施形態において、図１２に示すように、透過性を有しない不透過性面材３と、透過性を有する透過性面材４とにより内部空間Ｐを囲う囲い部２を備える。
【００５１】
本発明を適用した野生動物捕獲装置１は、囲い部２の入口部２１に、内部空間Ｐの外側に向けて突出された不透過性面材３が衝立面材３０として設けられる。このため、本発明を適用した野生動物捕獲装置１は、外部空間Ａにいる野生動物８が移動方向Ｓに向けて移動したとき、野生動物８の移動方向Ｓを衝立面材３０が遮るものとなり、いわば衝立面材３０が野生動物８の視界を遮る障害物として機能するものとなる。
【００５２】
本発明を適用した野生動物捕獲装置１は、一方の入口部２１から内部空間方向に視認される位置に透過性面材４（誘導面材４０）が設けられ、透過性面材４（誘導面材４０）の背面側に他方の入口部２１が設けられる。このため、本発明を適用した野生動物捕獲装置１は、衝立面材３０により移動方向Ｓが遮られて入口部２１の近傍に到達した野生動物８が餌を探索するために周囲を見渡したとき、透過性面材４（誘導面材４０）が設けられているにもかかわらず、物体把握能力の低い野生動物８に透過性面材４（誘導面材４０）の背面側に外部空間Ａが広がっていると錯覚させるものとなる。このとき、本発明を適用した野生動物捕獲装置１は、衝立面材３０により視界が遮られて、野生動物８が衝立面材３０の背面側を視認できないため、障害物に沿って移動する習性から、衝立面材３０に沿って移動し、衝立面材３０の背面側を探索しようとするとともに、見通しの良い開放された外部空間Ａに向けて移動する習性を働かせるものとなる。このため、本発明を適用した野生動物捕獲装置１は、野生動物８が衝立面材３０に沿って移動方向Ｔに向けて移動するため、入口部２１から内部空間Ｐへと効率よく侵入させることが可能となる。
【００５３】
本発明を適用した野生動物捕獲装置１は、内部空間Ｐに侵入した野生動物８が内部空間Ｐに設けられる透過性面材４（誘導面材４０）近傍に到達することで、この透過性面材４（誘導面材４０）を認識し、透過性面材４（誘導面材４０）により移動方向Ｔへの移動を遮るものとなる。そして、本発明を適用した野生動物捕獲装置１は、透過性面材４（誘導面材４０）により移動方向Ｔへの移動が遮られた野生動物８が、餌を探索するために改めて周囲を見渡して透過性面材４（誘導面材４０）の近傍から開閉扉２２を視認したとき、開放されて配置された開閉扉２２と捕獲空間Ｑを挟んで対向して配置される透過性面材４が視認されるものとなる。このとき、本発明を適用した野生動物捕獲装置１は、捕獲空間Ｑを囲う透過性面材４が設けられているにもかかわらず、物体把握能力の低い野生動物８に、透過性面材４の背面側に外部空間Ａが広がっていると錯覚させるものとなる。本発明を適用した野生動物捕獲装置１は、透過性面材４（誘導面材４０）により移動方向Ｔを遮られた野生動物８が、内部空間Ｐを囲う不透過性面材３により視界が遮られて、不透過性面材３の背面側を視認できないため、野生動物８に不透過性面材３等の障害物に沿って移動する習性から、不透過性面材３に沿って移動し、不透過性面材３の背面側を探索しようとするとともに、見通しの良い開放された外部空間Ａに向けて移動する習性を働かせるものとなる。このため、本発明を適用した野生動物捕獲装置１は、野生動物８が移動方向Ｕに向けて移動して、開閉扉２２を通り捕獲空間Ｑに侵入することとなる。
【００５４】
その結果、本発明を適用した野生動物捕獲装置１は、開放されていた開閉扉２２が閉じられることで、捕獲空間Ｑに侵入した野生動物８を捕獲することが可能となり、特に、野生動物８の習性に基づいて捕獲空間Ｑに誘導することが可能となるため、効率よく野生動物８を捕獲することが可能となる。
【００５５】
本発明を適用した野生動物捕獲装置１は、入口部２１に対して平面視で略直交に衝立面材３０が設けられることで、外部空間Ａにいる野生動物８が移動方向Ｓに向けて移動したとき、野生動物８の移動方向Ｓを衝立面材３０により遮る効果を高めることが可能となる。このため、本発明を適用した野生動物捕獲装置１は、野生動物８を入口部２１から内部空間Ｐへと侵入させる効果を高めることが可能となる。
【００５６】
本発明を適用した野生動物捕獲装置１は、入口部２１に対して平面視で略直交に衝立面材３０が設けられることで、一方の入口部２１の近傍に到達した野生動物８が餌を探索するために周囲を見渡したとき、他方の入口部２１に設けられる衝立面材３０の面が野生動物８に視認されにくいものとなるため、物体把握能力の低い野生動物８に透過性面材４（誘導面材４０）の背面側に外部空間Ａが広がっていると錯覚させやすくすることが可能となる。このため、本発明を適用した野生動物捕獲装置１は、野生動物８をより入口部２１から内部空間Ｐへと侵入させる効果を高めることが可能となる。
【００５７】
本発明を適用した野生動物捕獲装置１は、入口部２１の側端２１ａから離間されて衝立面材３０が設けられることで、衝立面材３０の前面側に向けて移動してくる野生動物８と、衝立面材３０の背面側に向けて移動してくる野生動物８とを衝立面材３０が遮るものとなる。このため、本発明を適用した野生動物捕獲装置１は、衝立面材３０が入口部２１の側端２１ａに設けられるよりも、野生動物８を入口部２１から内部空間Ｐに侵入させる機会を増やすことが可能となる。
【００５８】
本発明を適用した野生動物捕獲装置１は、囲い部２の上方側が開放されていることにより、野生動物８の警戒心が向上するのを抑制するものとなるため、囲い部２の入口部２１から内部空間Ｐに侵入させやすくすることが可能となる。
【００５９】
次に、本発明を適用した野生動物捕獲装置１の第２実施形態について説明する。なお、第１実施形態に係る野生動物捕獲装置１とは、具体的構成が相違するだけなので、相違する点を中心に説明し、同一構成は同一符号を付し、同一名の部材の機能等の説明は省略する。
【００６０】
図１３は、本発明を適用した野生動物捕獲装置１の第２実施形態を示す平面図である。
【００６１】
野生動物捕獲装置１は、第２実施形態において、透過性を有しない不透過性面材３と、透過性を有する透過性面材４とにより内部空間Ｐを囲う囲い部２を備える。
【００６２】
囲い部２は、複数の不透過性面材３の面内方向で離間されて形成される入口部２１を１箇所有する。
【００６３】
囲い部２は、入口部２１から視認される位置に、入口部２１と内部空間Ｐを挟んで対向して透過性面材４が設けられる。
【００６４】
入口部２１は、一方の側端２１ａに衝立面材３０が設けられる。このとき、配置角度θ１は、８５度以上９５度以下程度の平面視で略直交とされる。
【００６５】
囲い部２は、不透過性面材３と、透過性面材４と、開閉扉２２とに囲われる捕獲空間Ｑが１箇所に内部空間Ｐに形成される。
【００６６】
囲い部２は、開閉扉２２が入口部２１に対して略直交するように１か所に内部空間Ｐに設けられる。
【００６７】
囲い部２は、開閉扉２２に捕獲空間Ｑを挟んで対向して透過性面材４が配置され、透過性面材４の両側端に不透過性面材３がそれぞれ配置されることで、平面視矩形状の捕獲空間Ｑが内部空間Ｐに形成される。
【００６８】
次に、本発明を適用した野生動物捕獲装置１の第２実施形態における作用効果について説明する。
【００６９】
本発明を適用した野生動物捕獲装置１は、第２実施形態において、透過性を有しない不透過性面材３と、透過性を有する透過性面材４とにより内部空間Ｐを囲う囲い部２を備える。
【００７０】
本発明を適用した野生動物捕獲装置１は、図１４に示すように、囲い部２の入口部２１に、内部空間Ｐの外側に向けて突出された不透過性面材３が衝立面材３０として設けられる。このため、本発明を適用した野生動物捕獲装置１は、外部空間Ａにいる野生動物８が移動方向Ｓに向けて移動したとき、野生動物８の移動方向Ｓを衝立面材３０が遮るものとなる。
【００７１】
本発明を適用した野生動物捕獲装置１は、入口部２１から視認される位置に透過性面材４が設けられる。このため、本発明を適用した野生動物捕獲装置１は、衝立面材３０により移動方向Ｓを遮られて入口部２１の近傍に到達した野生動物８が餌を探索するために周囲を見渡したとき、入口部２１から内部空間方向に視認される位置に配置された透過性面材４が設けられているにもかかわらず、物体把握能力の低い野生動物８に透過性面材４の背面側に外部空間Ａが広がっていると錯覚させるものとなる。このとき、本発明を適用した野生動物捕獲装置１は、衝立面材３０により視界が遮られ、野生動物８が衝立面材３０の背面側を視認できないため、衝立面材３０等の障害物に沿って移動する習性から、衝立面材３０に沿って移動し、衝立面材３０の背面側を探索しようとするとともに、見通しの良い開放された外部空間Ａに向けて移動する習性を働かせるものとなる。このため、本発明を適用した野生動物捕獲装置１は、野生動物８が衝立面材３０に沿って移動方向Ｔに向けて移動するため、入口部２１から内部空間Ｐへと効率よく侵入させることが可能となる。
【００７２】
本発明を適用した野生動物捕獲装置１は、内部空間Ｐに侵入した野生動物８が内部空間Ｐに設けられる透過性面材４近傍に到達することで、この透過性面材４を認識し、透過性面材４により移動方向Ｔへの移動を遮るものとなる。そして、本発明を適用した野生動物捕獲装置１は、透過性面材４により移動方向Ｔへの移動が遮られた野生動物８が、餌を探索するために改めて周囲を見渡して開閉扉２２を視認したとき、開放されて配置された開閉扉２２と捕獲空間Ｑを挟んで対向して配置される透過性面材４が視認されるものとなる。このため、本発明を適用した野生動物捕獲装置１は、捕獲空間Ｑを囲う透過性面材４が設けられているにもかかわらず、物体把握能力の低い野生動物８に、この透過性面材４の背面側に外部空間Ａが広がっていると錯覚させるものとなる。このとき、本発明を適用した野生動物捕獲装置１は、入口部２１に内部空間Ｐを挟んで対向して配置される透過性面材４により移動方向Ｔを遮られた野生動物８が、内部空間Ｐを囲う不透過性面材３の背面側を視認できないため、野生動物８に不透過性面材３等の障害物に沿って移動する習性から、不透過性面材３に沿って移動し、不透過性面材３の背面側を探索しようとするとともに、見通しの良い開放された外部空間Ａに向けて移動する習性を働かせるものとなる。このため、本発明を適用した野生動物捕獲装置１は、野生動物８が移動方向Ｕに向けて移動して、開閉扉２２を通り捕獲空間Ｑに侵入することとなる。
【００７３】
その結果、本発明を適用した野生動物捕獲装置１は、開閉扉２２が閉じられることで、捕獲空間Ｑに侵入した野生動物８を捕獲することが可能となり、特に、野生動物８の習性に基づいて捕獲空間Ｑに誘導することが可能となるため、効率よく野生動物８を捕獲することが可能となる。
【００７４】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００７５】
１      ：野生動物捕獲装置
２      ：囲い部
２１    ：入口部
２１ａ  ：側端
２２    ：開閉扉
２７    ：支柱
２８    ：連結材
２９    ：枠体
３      ：不透過性面材
３０    ：衝立面材
４      ：透過性面材
４０    ：誘導面材
８      ：野生動物
Ａ      ：外部空間
Ｇ      ：地面
Ｋ      ：面
Ｐ      ：内部空間
Ｑ      ：捕獲空間
Ｓ      ：移動方向
Ｔ      ：移動方向
Ｕ      ：移動方向
ｈ１    ：高さ
ｈ２    ：高さ
ｈｎ    ：首長
ｈｓ    ：肩高
ｈｔ    ：体高
θ１    ：配置角度
θ２    ：配置角度
【図１】
2018166483.tif 000003
【図２】
2018166483.tif 000004
【図３】
2018166483.tif 000005
【図４】
2018166483.tif 000006
【図５】
2018166483.tif 000007
【図６】
2018166483.tif 000008
【図７】
2018166483.tif 000009
【図８】
2018166483.tif 000010
【図９】
2018166483.tif 000011
【図１０】
2018166483.tif 000012
【図１１】
2018166483.tif 000013
【図１２】
2018166483.tif 000014
【図１３】
2018166483.tif 000015
【図１４】
2018166483.tif 000016